(57)【要約】      （修正有）【課題】携帯端末を利用して、ユーザーが希望するテレビ局が放送した映像を選択して携帯端末上において手軽かつ迅速に視認できるようにした携帯端末映像表示システムを提供する。【解決手段】テレビ放送局が放送する放送番組を録画する録画ファイルを有する録画手段１２、３３と、録画手段１２、３３により録画された映像に対応するメタデータを格納するメタデータファイルを有するメタデータ格納手段１５と、広域通信ネットワーク１６を介して録画ファイル及びメタデータファイルにアクセスできる携帯端末１３とを備える。携帯端末１３はメタデータファイルに格納されたメタデータをディスプレイ１７上に表示し、使用者がディスプレイ１７上に表示されたメタデータを選択した場合には、録画ファイルにアクセスして録画手段１２、３３の録画ファイルから選択されたメタデータに対応する映像を取得して映像をディスプレイ１７上に表示する。【選択図】図１
2016208395.tif 000002
【特許請求の範囲】
【請求項１】
動画映像コンテンツを格納する動画映像コンテンツファイルを有する動画映像コンテンツ格納手段と、前記動画映像コンテンツに対応して関連付けられたメタデータを格納するメタデータファイルを有するメタデータ格納手段と、広域通信ネットワークを介して前記メタデータ格納手段にアクセスしうる携帯端末とを備え、前記メタデータファイルに格納されたメタデータをディスプレイ上に表示して使用者が所定のメタデータを選択した場合には、前記動画映像コンテンツファイルから取得された前記所定のメタデータに対応して関連付けられた動画映像をディスプレイ上に表示する携帯端末映像表示システムであって、
前記動画映像コンテンツが前記ディスプレイ上に表示される際に、前記動画映像コンテンツと共に表示されるコマーシャル映像を格納するコマーシャル映像格納ファイルを有するコマーシャル映像格納手段を備えていることを特徴とする携帯端末映像表示システム。
【請求項２】
前記コマーシャル映像は、前記ディスプレイ上に表示される動画映像コンテンツに時間的に連続して前又は後に表示されることを特徴とする請求項１記載の携帯端末映像表示システム。
【請求項３】
前記コマーシャル映像はテレビ放送局が放送するコマーシャル映像よりも時間的に短く形成されていることを特徴とする請求項１又は２のいずれか１項に記載の携帯端末映像表示システム。
【請求項４】
前記コマーシャル映像は前記動画映像コンテンツの内容に関連づけられていることを特徴とする請求項１、２又は３のいずれか１項に記載の携帯端末映像表示システム。
【請求項５】
前記動画映像コンテンツはテレビ放送映像コンテンツであることを特徴とする請求項１、２、３又は４のいずれか１項に記載の携帯端末映像表示システム。
【請求項６】
前記動画映像コンテンツはニュース番組映像、スポーツ番組映像、バラエティ番組映像又はドラマ番組映像であることを特徴とする請求項５記載の携帯端末映像表示システム。
【請求項７】
前記動画映像コンテンツは動画サイトから取得されたものであることを特徴とする請求項３記載の携帯端末映像表示システム。
【請求項８】
前記動画映像コンテンツはテレビ放送局から取得されたものであることを特徴とする請求項６記載の携帯端末映像表示システム。
【請求項９】
前記携帯端末は多機能携帯電話であることを特徴とする請求項１に記載の携帯端末映像表示システム。
【請求項１０】
前記広域通信ネットワークは、インターネットであることを特徴とする請求項１、２、３、４、５、６、７、８又は９いずれか１項に記載の携帯端末映像表示システム。
【発明の詳細な説明】
【技術分野】
【０００１】
本発明は、動画映像コンテンツをコマーシャル映像を含め携帯端末のディスプレイ上に表示させてユーザーが見ることができる携帯端末映像表示システムに関する。
【背景技術】
【０００２】
現在、携帯電話、特にスマートフォンと称される多機能携帯電話が普及して広く使用されている。このようなスマートフォンにはブラウザ機能が内臓されており、インターネットへの接続により様々なウェブ情報をディスプレイ上に表示して閲覧することができるようなっている。
【０００３】
スマートフォンの普及は著しく、また、ディスプレイの画質及び大きさは随時改良され、現在では高解像度の大型テレビと略同様の解像度を有すると共に、外の外光下でも十分に見やすい高輝度を実現していることから、ユーザーは、戸外においてもスマートフォン上で高品質な映像を視認できるようになっている。
【０００４】
一方、各種の動画サイト１８がインターネット上に存在する。このような動画サイト１８には、様々な動画コンテンツが保存されており、その中には各種のテレビ放送映像コンテンツも多数存在する。
【０００５】
現代人は非常に多忙であり長距離通勤者も多いことから、家庭においてゆっくりとテレビ受像機によりテレビ放送番組を見る時間がない場合も多く、そのような場合には、例えば、通勤電車内又はオフィスにおいて携帯電話を利用して希望するテレビ番組又はそのコーナー映像を見て楽しみたい場合もある。
【０００６】
また、多忙な現代人にとっては、テレビ局から放送されるテレビ番組を予め放送番組スケジュールに基づいて日々選択して視聴することは非常に煩雑であり、例えば、ニュース、スポーツ、ドラマ、バラエティ番組等、ジャンル分けされた番組データの中から、その都度、適宜選択して視聴できれば便利である。
【０００７】
さらに、現在のテレビ放送におけるコマーシャル映像は非常に映像品質が高いものもあり、視聴者はコマーシャル映像を見て楽しみたい場合もあることから、携帯端末を利用して、テレビ放送映像を含め各種の動画映像コンテンツを視聴する場合にも、同時にコマーシャル映像を視聴したい、という要請もある。
また一方で、携帯端末でテレビ映像コンテンツを含む動画映像を視認できる場合には、一般企業はコマーシャル映像を提供することにより当該動画映像のスポンサーとなることを希望する場合もある。
【０００８】
本件特許出願人はこのような観点から特許調査を行い下記の文献を抽出したが、いずれの文献記載の技術もこのような要請に応えられるものではない。
【特許文献１】特許第４２２７８６６号
【発明の開示】
【発明が解決しようとする課題】
【０００９】
本発明は、このような要請に応えるものであり、ユーザーが希望する各種動画映像コンテンツを選択してコマーシャル映像と共に携帯端末上において手軽かつ迅速に視認できるようにした携帯端末映像表示システムを提供することにある。
【課題を解決するための手段】
【００１０】
上記課題達成のため、請求項１記載の発明にあっては、動画映像コンテンツを格納する動画映像コンテンツファイルを有する動画映像コンテンツ格納手段と、前記動画映像コンテンツに対応して関連付けられたメタデータを格納するメタデータファイルを有するメタデータ格納手段と、広域通信ネットワークを介して前記動画映像コンテンツ格納手段及びメタデータ格納手段にアクセスしうる携帯端末とを備え、前記メタデータファイルに格納されたメタデータをディスプレイ上に表示して使用者が前記ディスプレイ上に表示されたメタデータを選択した場合には、前記録画ファイルから取得された当該メタデータに対応する動画映像をディスプレイ上に表示する携帯端末映像表示システムであって、前記テレビ放送映像コンテンツが前記ディスプレイ上に表示される際に、前記動画映像コンテンツと共に表示されるコマーシャル映像を格納するコマーシャル映像格納ファイルを有するコマーシャル映像格納手段を備えていることを特徴とする。
【００１１】
ここで「コマーシャル映像」とは、例えば、一般的にテレビ放送局がテレビで放映しているコマーシャル映像を指す。
請求項１記載の発明にあっては、ユーザーは、携帯端末のブラウザ機能を利用して広域通信ネットワークを介してメタデータファイルにアクセスしてメタデータを携帯端末のディスプレイ上に表示させ、所定のメタデータを選択した場合には、当該メタデータに対応して関連付けられた動画映像コンテンツをディスプレイ上に表示させて、希望する動画映像及びコマーシャル映像を携帯端末のディスプレイ上で見ることができる。
【００１２】
請求項２の発明にあっては、前記コマーシャル映像は、前記ディスプレイ上に表示される動画映像コンテンツに時間的に連続して前又は後に表示されることを特徴とする。
従って、請求項２記載の発明にあっては、携帯端末のディスプレイ上において、前記コマーシャル映像が前記動画映像の前又は後もしくは前及び後の双方に表示される。
【００１３】
請求項３記載の発明にあっては、前記コマーシャル映像は、テレビ放送局が放送するコマーシャル映像よりも時間的に短く形成されていることを特徴とする。
ここで「テレビ放送局が放送するコマーシャル映像よりも時間的に短く形成されている」とは、テレビ放送局がテレビ放映するコマーシャル映像は、一般に１５秒程度の時間的な長さであるが、本発明に係るコマーシャル映像は、例えば３秒程度の長さに形成されている。
【００１４】
請求項４記載の発明にあっては、前記コマーシャル映像は前記動画映像コンテンツの内容に関連づけられていることを特徴とする。
「コマーシャル映像は前記動画映像コンテンツの内容に関連づけられている」とは、例えば、動画映像コンテンツがある自動車メーカーに関するニュース映像であったような場合で、コマーシャル映像が当該自動車メーカーの自動車に関するものであるような場合を指す。
【００１５】
請求項５記載の発明にあっては、前記動画映像コンテンツはテレビ放送映像コンテンツであることを特徴とする。従って、ユーザーは携帯端末を利用してテレビ放送映像を見ることができる。
【００１６】
請求項６記載の発明にあっては、前記テレビ放送映像コンテンツはニュース番組映像、スポーツ番組映像、バラエティ番組映像又はドラマ番組映像であることを特徴とする。
【００１７】
請求項７記載の発明にあっては、前記テレビ放送映像コンテンツは動画サイト１８から取得することを特徴とする。
「動画サイト１８」とは、インターネット上に存在する、様々な動画映像が多数保存、集約されているサイトである。
【００１８】
請求項８記載の発明にあっては、前記動画映像コンテンツはテレビ放送局から取得することを特徴とする。
「テレビ放映映像コンテンツをテレビ放送局から取得する」とは、テレビ局がテレビ放送した映像を、放送又は放送以外の手段により入手する場合を指す。
例えば、ある放送局が自社の放送映像をアーカイブ化しており、そのアーカイブ化された放送映像データをその放送会社から電子データとして取得するような場合を指す。
【００１９】
請求項９記載の発明にあっては、前記携帯端末は多機能携帯電話であることを特徴とする。「多機能携帯電話」とはいわゆるスマートフォン、タブレット端末等の、電話通信機能を備えたＰＤＡをいう。
【００２０】
請求項１０記載の発明にあっては、前記広域通信ネットワークは、インターネットであることを特徴とする。
【発明の効果】
【００２１】
請求項１記載の発明にあっては、ユーザーは、携帯端末のブラウザ機能を利用して広域通信ネットワークを介してメタデータファイルにアクセスしてメタデータを携帯端末のディスプレイ上に表示させ、適宜、所定のメタデータを選択した場合には、当該メタデータに対応する動画映像コンテンツ及びコマーシャル映像をディスプレイ上に表示させて、希望する動画映像を携帯端末のディスプレイ上で見ることができるように構成されていることから、ユーザーは携帯端末のディスプレイ上において、ユーザーが希望する動画映像及びコマーシャル映像を時間的に連続して同時に見ることができる。
【００２２】
請求項２記載の発明にあっては、前記ディスプレイ上に表示される動画映像コンテンツに時間的に連続して前又は後に表示されるように構成されていることから、ユーザーは自分が希望する動画映像のみならずコマーシャル映像を、動画映像と共に連続して、希望する動画映像の前後において見て楽しむことができる。
【００２３】
請求項３記載の発明にあっては、前記コマーシャル映像はテレビ放送局が放送するコマーシャル映像よりも時間的に短く形成されていることから、ユーザーは短時間で効率よくコマーシャルの内容を視認、把握することができる。
【００２４】
請求項４記載の発明にあっては、前記コマーシャル映像は前記動画映像コンテンツの内容に関連づけられて構成されていることから、ユーザーは動画映像及びコマーシャル映像の映像内容の関連性を持って興味深く見ることができる。
【００２５】
請求項５及び６記載の発明にあっては、前記動画映像コンテンツはテレビ放送映像コンテンツであることから、多忙なビジネスマンであっても、携帯端末を利用して通勤電車や戸外においてレビ放送映像をコマーシャル映像と共に見ることができる。
【００２６】
請求項９記載の発明にあっては、多機能携帯電話、即ち、スマートフォンによりテレビ番組又はコーナーの映像を視認することができる。
【図面の簡単な説明】
【００２７】
【図１】本発明に係る携帯端末映像表示システムの一実施の形態を示す概念図である。
【図２】本発明に係る携帯端末映像表示システムの一実施の形態を示す概念図であって、携帯端末及び携帯端末のディスプレイに表示されるメタデータの一例を示し、メタデータが表示される最初のページを示す図である。
【図３】本発明に係る携帯端末映像表示システムの一実施の形態を示す概念図であって、携帯端末及び携帯端末のディスプレイに表示されるメタデータ及び対応する映像を示す画像の一例を示し、メタデータが表示される次ページを示す図である。
【図４】本発明に係る携帯端末映像表示システムの一実施の形態を示す概念図であって、携帯端末及び携帯端末のディスプレイに表示される映像コンテンツを表示する画像の一例を示す、さらに次のページを示す図である。
【発明を実施するための最良の形態】
【００２８】
以下、添付図面に示す実施の形態に基づき、本発明を、動画映像コンテンツはテレビ放送映像コンテンツである場合を例に詳細に説明する。
図１に示すように、本実施の形態に係る携帯端末映像表示システム１０は、動画映像コンテンツを格納する動画映像コンテンツファイル１１を有する動画映像コンテンツ格納手段１２と、前記動画映像コンテンツに対応するメタデータを格納するメタデータファイル１４を有するメタデータ格納手段１５と、広域通信ネットワーク１６を介して前記メタデータ格納手段１５にアクセスしうるスマートフォンとしての携帯端末１３とを備えている。
【００２９】
従って、本実施の形態においては、図１及び図２に示すように、前記メタデータファイル１４に格納されたメタデータをディスプレイ１７上に表示し、使用者が、表示されたメタデータを選択した場合には、前記動画映像コンテンツファイル１１から取得された当該メタデータに対応する動画映像をディスプレイ１７上に表示するように構成されている。
【００３０】
本実施の形態にあっては、動画映像コンテンツはテレビ放送映像コンテンツである。即ち、現在、複数の動画サイト１８がインターネット上に存在するが、いずれの動画サイト１８にも多数のテレビ放送映像コンテンツがアップされて保存されている。従って、本実施の形態においては、図１に示すように、このような動画サイト１８からテレビ放送映像コンテンツを取得して携帯端末１３により視認しうるように編集して使用しているものである。
【００３１】
動画映像コンテンツファイル１１には、テレビで放送された番組又は番組の一部を構成するコーナーとしての動画映像コンテンツと、当該動画映像コンテンツが放送された放送局名２０と、当該動画映像コンテンツの放送時刻を示すタイムコード２１とが格納されている。
【００３２】
その結果、本実施の形態にあっては、テレビ放送番組又はそのコーナーにより構成されている動画映像コンテンツは放送局名２０及びタイムコード２１により特定される。
【００３３】
一方、メタデータファイル１４には、メタデータを構成する動画映像コンテンツ１９の内容を文字により要約した映像コンテンツ要約テキストデータ２２と、当該動画映像コンテンツが放送された放送局名２３と、当該動画映像コンテンツ１９の放送時刻を示すタイムコード２４とが格納されている。
その結果、映像コンテンツ要約テキストデータ２２と、これに対応する動画映像コンテンツとは、放送局名２０、２３及びタイムコード２１、２４により関連づけることができる。
【００３４】
また、テレビ番組には、ニュース番組映像、スポーツ番組映像、バラエティ番組映像又はドラマ番組映像等が存在することから、これらのジャンル別に分類されて、各動画映像が動画映像コンテンツファイル１１内に格納されていると共に、動画映像コンテンツファイル１１内に格納されている各種映像情報のテキスト文書からなるメタデータがメタデータファイル１４内に格納されている。
【００３５】
従って、本実施の形態にあっては、図２に示すように、ユーザーは、携帯端末１３を使用して本システム１０をディスプレイ１７上で立ち上げた場合には、携帯端末１３のディスプレイ１７上の上半部には、メタデータファイル１４内から取得された「ジャンル別表示部」２５がメニュー画面として表示される。
また、同時に下半部には、同様にメタデータファイル１４から取得された、本システム起動時におけるリアルタイムでの最新のテレビ放送情報をピックアップして紹介するテキストデータからなる「最新のテレビ情報紹介部」２７が表示される。この場合、「最新のテレビ情報紹介部」２７においては、各テレビ情報２８にはタイムコード２４及び放送局名２０が付されている。
【００３６】
その結果、ユーザーはメニュー画面２６に表示された「ジャンル別表示部」２５又は「最新のテレビ情報紹介部」２７の中から、適宜、クリックして選択する。その結果、図３に示すように、次画面において、選択されたジャンルにおける動画映像コンテンツであるニュース映像の要約文２９又は、上記各テレビ情報２８の要約文２９が表示され、この要約文２９をクリックした場合には同じくテキスト文書の詳細文３０が次画面に表示される。従って、ユーザーはこの詳細文３０により、テキスト文書で放送されたニュースを読むことができる。
【００３７】
また、詳細文３０には、詳細文３０に対応するニュース映像静止画像３１が同時に表示され、ニュース映像静止画像３１をクリックすることにより、当該詳細文３０に対応する動画映像コンテンツが動画映像コンテンツファイルから取得されてスマートフォンからなる携帯端末１３のディスプレイ１７上に表示されるように構成されている。
【００３８】
そして、本実施の形態にあっては、図１に示すように、前記動画映像コンテンツが前記ディスプレイ１７に表示される際に、前記動画映像コンテンツと共に表示されるコマーシャル映像を格納するコマーシャル映像格納ファイル３２を有するコマーシャル映像格納手段３３を備えている。
【００３９】
本実施の形態に係るコマーシャル映像はテレビ放送局がテレビで放送するコマーシャル映像よりも時間的に短く形成されている。即ち、例えば、テレビで放映されているコマーシャル映像は、一般に１５秒程度の長さであるが、本発明に係るコマーシャル映像は、例えば、そのような一般的なテレビで放映されているコマーシャル映像を、インパクトのある部分のみを集約し、エッセンスのみによりに再編集して形成されている。
【００４０】
この場合、テレビで放映されている原コマーシャル映像に著作権が発生している場合には、著作権者の許諾を得ることが前提となる。その結果、本実施の形態にあっては、コマーシャル映像は、例えば、全体として３秒程度の長さに形成されている。
【００４１】
また、本実施の形態にあっては、コマーシャル映像は動画映像コンテンツの内容に関連づけられて配置されている。即ち、動画映像コンテンツがある自動車メーカーに関するニュース映像であった場合で、コマーシャル映像が当該自動車メーカーの自動車に関するものであるような場合を指す。
【００４２】
図４に示すように、このようなコマーシャル映像３４は、動画映像コンテンツ１９の時間的前又は後において、動画映像コンテンツ１９に連続して表示されるように構成されている。従って、あるコマーシャル映像３４は当該動画映像コンテンツ１９の前又は後、もしくは、動画映像コンテンツ１９の前及び後の双方に流れる。
【００４３】
従って、図４に示すように、本実施の形態に係る携帯端末映像表示システム１０を使用した場合には、ユーザーは携帯端末１３のディスプレイ１７上において、メタデータからなるテレビ情報紹介部２７の各要約文２９を読み、対応する詳細文に添付されたニュース映像静止画像３１をクリックした場合には、当該ニュース映像静止画像３１に関連するコマーシャル映像３４、及び当該ニュース映像静止画像３１に対応する動画映像としての映像コンテンツ１９を連続して見ることができる。
【００４４】
その結果、ユーザーは、例えば、ニュース映像としての動画映像コンテンツ１９と、そのニュース映像の対象となっている会社の商品をコマーシャル映像３４により同時に見ることができるため、ニュース及び商品に対する興趣がより湧くことになり、視聴者であるユーザーとしての興味をより満たすことが可能となる。
【００４５】
一方、当該コマーシャル映像３４を提供している会社は、ユーザーがニュース映像としての動画映像コンテンツ１９及びコマーシャル映像３４の双方を見ることにより、より当該会社及びその会社の商品に興味を持つことになるため、会社としての顧客吸引力を増大させることができ、ビジネス実績の向上を図ることができる。
【００４６】
また、ユーザーが多忙なビジネスマンであった場合には、自宅以外の場所、例えば、通勤途上の電車内等において、ジャンル別に分類されたテレビ放送番組映像を適宜選択して携帯端末１３上において見ることができるため、自分が見たい番組を、コマーシャル映像を含め、手軽かつ迅速に見ることができる。
【００４７】
なお、本実施の形態にあっては、携帯端末として、いわゆるスマートフォンを使用する場合を例に説明したが、本実施の形態に限定されず、インターネットに接続できるブラウザ機能を有する携帯端末であればよく、例えば、ラップトップコンピュータ、タブレット型コンピュータ等のいわゆるＰＤＡであってもよい。
【産業上の利用可能性】
【００４８】
本発明は携帯端末を利用してテレビ放送された映像を表示させることができることから、広く産業上の利用可能性を有している。
【符号の説明】
【００４９】
１０  携帯端末映像表示システム
１１  動画映像コンテンツファイル
１２  動画映像コンテンツ格納手段
１３  携帯端末（スマートフォン）
１４  メタデータファイル
１５  メタデータ格納手段
１６  広域通信ネットワーク
１７  ディスプレイ
１８  動画サイト
１９  映像コンテンツ
２０  放送局名
２１  タイムコード
２２  映像コンテンツ要約テキストデータ
２３  チャンネル名
２４  タイムコード
２５  ジャンル別表示部
２７  テレビ情報紹介部
２８  テレビ情報
２９  要約文
３０  詳細文
３０  動画映像コンテンツ
３１  ニュース映像静止画像
３２  コマーシャル映像格納ファイル
３３  コマーシャル映像格納手段
３４  コマーシャル映像
【図１】
2016208395.tif 000003
【図２】
2016208395.tif 000004
【図３】
2016208395.tif 000005
【図４】
2016208395.tif 000006